(57)【特許請求の範囲】
【請求項１】
画像形成装置であって、
複数の原稿を裁置可能で、前記複数の原稿を１枚ずつ送って、前記複数の原稿の少なくとも１面の画像を読み取って画像データを生成する画像読取部と、
前記画像データを使用して印刷媒体に画像を形成して印刷物として出力する画像形成部と、
前記印刷物の出力に使用された印刷ジョブを予め設定された範囲で記憶し、前記記憶された印刷ジョブのリストを表示し、前記リストから前記印刷ジョブの少なくとも１つの選択を許容する操作表示部と、
前記画像読取部に裁置された複数の印刷物の画像の読み取りを前記画像読取部に行わせ、前記複数の印刷物から読み取られた複数の印刷画像と、前記選択された印刷ジョブによって形成されるべきジョブ画像とを比較し、前記印刷画像と前記ジョブ画像の一致を決定する画像比較部と、
前記決定に応じて前記画像読取部による前記送りを停止させ、前記操作表示部への予め設定されている所定の入力に応じて前記送りを再開する印刷物検出部と、を備える画像形成装置。
【請求項２】
請求項１に記載の画像形成装置であって、
前記印刷物検出部は、前記選択された印刷ジョブの最終ページのジョブ画像である最終ジョブ画像と前記印刷画像の一致が決定されたときに、前記送りの再開後における前記送りを停止させる画像形成装置。
【請求項３】
請求項１又は２に記載の画像形成装置であって、
前記画像比較部は、前記選択された印刷ジョブの先頭ページのジョブ画像である先頭ジョブ画像と前記印刷画像の比較を行い、前記先頭ジョブ画像と前記印刷画像の比較の次に前記選択された印刷ジョブの最終ページのジョブ画像である最終ジョブ画像と前記印刷画像の比較を行い、
前記印刷物検出部は、前記先頭ジョブ画像と前記印刷画像の一致の決定に応じて前記送りを停止させ、前記最終ジョブ画像と前記印刷画像の一致の決定に応じて前記送りの再開後における前記送りを停止させる画像形成装置。
【請求項４】
請求項１又は２に記載の画像形成装置であって、さらに、
前記印刷ジョブに基づいて前記印刷ジョブによって出力されるべき印刷物の枚数を取得する印刷物枚数取得部を備え、
前記画像比較部は、前記選択された印刷ジョブの先頭ページのジョブ画像である先頭ジョブ画像と前記印刷画像の比較を行い、
前記印刷物検出部は、前記先頭ジョブ画像と前記印刷画像の一致の決定に応じて前記送りを停止させ、前記送りの再開後に前記取得された枚数に相当する枚数だけ前記印刷物を前記画像読取部に送らせ、
前記画像比較部は、さらに、前記取得された枚数に相当する枚数だけ前記印刷物を送ったときの最後の印刷物の印刷画像と、前記選択された印刷ジョブの最終ページのジョブ画像である最終ジョブ画像との比較を行い、
前記印刷物検出部は、前記最終ジョブ画像と前記印刷画像の一致の決定に応じて前記送りの再開後における前記送りを停止させ、前記最終ジョブ画像と前記印刷画像の不一致の決定に応じて前記操作表示部に異常終了を知らせる表示を表示させる画像形成装置。
【請求項５】
画像形成方法であって、
複数の原稿を裁置可能な画像読取部を用い、前記複数の原稿を１枚ずつ送って、前記複数の原稿の少なくとも１面の画像を読み取って画像データを生成する工程と、
前記画像データを使用して印刷媒体に画像を形成して印刷物として出力する工程と、
前記印刷物の出力に使用された印刷ジョブを予め設定された範囲で記憶し、前記記憶された印刷ジョブのリストを操作表示部に表示し、前記リストから前記印刷ジョブの少なくとも１つを選択する工程と、
前記画像読取部に裁置された複数の印刷物の画像の読み取りを前記画像読取部に行わせ、前記複数の印刷物から読み取られた複数の印刷画像と、前記選択された印刷ジョブによって形成されるべきジョブ画像とを比較し、前記印刷画像と前記ジョブ画像の一致を決定する工程と、
前記決定に応じて前記画像読取部による前記送りを停止させ、前記操作表示部への予め設定されている所定の入力に応じて前記送りを再開する工程と、を備える画像形成方法。
【請求項６】
画像形成装置を制御する画像形成プログラムであって、
前記画像形成プログラムは、
複数の原稿を裁置可能で、前記複数の原稿を１枚ずつ送って、前記複数の原稿の少なくとも１面の画像を読み取って画像データを生成する画像読取部、
前記画像データを使用して印刷媒体に画像を形成して印刷物として出力する画像形成部、
前記印刷物の出力に使用された印刷ジョブを予め設定された範囲で記憶し、前記記憶された印刷ジョブのリストを表示し、前記リストから前記印刷ジョブの少なくとも１つの選択を許容する操作表示部、
前記画像読取部に裁置された複数の印刷物の画像の読み取りを前記画像読取部に行わせ、前記複数の印刷物から読み取られた複数の印刷画像と、前記選択された印刷ジョブによって形成されるべきジョブ画像とを比較し、前記印刷画像と前記ジョブ画像の一致を決定する画像比較部、及び
前記決定に応じて前記画像読取部による前記送りを停止させ、前記操作表示部への予め設定されている所定の入力に応じて前記送りを再開する印刷物検出部として前記画像形成装置を機能させる画像形成プログラム。
【発明の詳細な説明】
【技術分野】
【０００１】
本発明は、画像形成装置、画像形成方法及び画像形成プログラムに関する。
【背景技術】
【０００２】
画像形成装置には、複数ページの出力文書を多部数作成する際などに仕分け作業を自動化するためにソータ装置を備えるものもある。一方、ソータ装置を備えることなく、出力文書の方向を変更して仕分け作業を容易化させる技術も提案されている（特許文献１）。この技術では、同一サイズで方向が相違する印刷用紙を格納する複数のカセットが備えられていることを前提とする。
【先行技術文献】
【特許文献】
【０００３】
【特許文献１】特開２００１−３９５６０号公報
【発明の概要】
【発明が解決しようとする課題】
【０００４】
しかし、画像形成装置が共有される場合に、複数人によって大量に印刷された印刷物の中から自分が印刷した印刷物を探さなければならないときもある。このような場合には、ユーザーに大きな負担が発生することもある。
【０００５】
本発明は、このような状況に鑑みてなされたものであり、複数の出力文書の中から特定の印刷物の抽出を容易化する技術を提供することを目的とする。
【課題を解決するための手段】
【０００６】
本発明は、画像形成装置を提供する。前記画像形成装置は、複数の原稿を裁置可能で、前記複数の原稿を１枚ずつ送って、前記複数の原稿の少なくとも１面の画像を読み取って画像データを生成する画像読取部と、前記画像データを使用して印刷媒体に画像を形成して印刷物として出力する画像形成部と、前記印刷物の出力に使用された印刷ジョブを予め設定された範囲で記憶し、前記記憶された印刷ジョブのリストを表示し、前記リストから前記印刷ジョブの少なくとも１つの選択を許容する操作表示部と、前記画像読取部に裁置された複数の印刷物の画像の読み取りを前記画像読取部に行わせ、前記複数の印刷物から読み取られた複数の印刷画像と、前記選択された印刷ジョブによって形成されるべきジョブ画像とを比較し、前記印刷画像と前記ジョブ画像の一致を決定する画像比較部と、前記決定に応じて前記画像読取部による前記送りを停止させ、前記操作表示部への予め設定されている所定の入力に応じて前記送りを再開する印刷物検出部とを備える。
【０００７】
本発明は、画像形成方法を提供する。前記画像形成方法は、複数の原稿を裁置可能な画像読取部を用い、前記複数の原稿を１枚ずつ送って、前記複数の原稿の少なくとも１面の画像を読み取って画像データを生成する工程と、前記画像データを使用して印刷媒体に画像を形成して印刷物として出力する工程と、前記印刷物の出力に使用された印刷ジョブを予め設定された範囲で記憶し、前記記憶された印刷ジョブのリストを操作表示部に表示し、前記リストから前記印刷ジョブの少なくとも１つを選択する工程と、前記画像読取部に裁置された複数の印刷物の画像の読み取りを前記画像読取部に行わせ、前記複数の印刷物から読み取られた複数の印刷画像と、前記選択された印刷ジョブによって形成されるべきジョブ画像とを比較し、前記印刷画像と前記ジョブ画像の一致を決定する工程と、前記決定に応じて前記画像読取部による前記送りを停止させ、前記操作表示部への予め設定されている所定の入力に応じて前記送りを再開する工程とを備える。
【０００８】
本発明は、画像形成装置を制御する画像形成プログラムを提供する。前記画像形成プログラムは、複数の原稿を裁置可能で、前記複数の原稿を１枚ずつ送って、前記複数の原稿の少なくとも１面の画像を読み取って画像データを生成する画像読取部、前記画像データを使用して印刷媒体に画像を形成して印刷物として出力する画像形成部、前記印刷物の出力に使用された印刷ジョブを予め設定された範囲で記憶し、前記記憶された印刷ジョブのリストを表示し、前記リストから前記印刷ジョブの少なくとも１つの選択を許容する操作表示部、前記画像読取部に裁置された複数の印刷物の画像の読み取りを前記画像読取部に行わせ、前記複数の印刷物から読み取られた複数の印刷画像と、前記選択された印刷ジョブによって形成されるべきジョブ画像とを比較し、前記印刷画像と前記ジョブ画像の一致を決定する画像比較部、及び前記決定に応じて前記画像読取部による前記送りを停止させ、前記操作表示部への予め設定されている所定の入力に応じて前記送りを再開する印刷物検出部として前記画像形成装置を機能させる。
【発明の効果】
【０００９】
本発明によれば、複数の印刷物の中から特定の印刷物の抽出を容易化することができる。
【図面の簡単な説明】
【００１０】
【図１】本発明の一実施形態に係る画像形成装置１の全体構成を示す概略構成図である。
【図２】一実施形態に係る出力文書抽出処理手順の内容を示すフローチャートである。
【図３】一実施形態に係る先頭ページ検出処理の内容を示すフローチャートである。
【図４】一実施形態に係る出力文書ＳＴの画像認識領域を示す説明図である。
【図５】一実施形態に係る最終ページ検出処理の内容を示すフローチャートである。
【発明を実施するための形態】
【００１１】
以下、本発明を実施するための形態（以下、「実施形態」という）を、図面を参照して説明する。
【００１２】
図１は、本発明の一実施形態に係る画像形成装置１の全体構成を示す概略構成図である。画像形成装置１は、制御部１０と、画像形成部２０と、画像解析部３０と、記憶部４０と、操作表示部５０と、画像読取部１００とを備えている。画像読取部１００は、原稿自動送り装置（ＡＤＦ）１６０と原稿台１７０とを有し、原稿から画像を読み取ってデジタルデータである画像データＰＤを生成する。画像形成部２０は、画像データＰＤに基づいて印刷媒体（図示せず）に画像を形成して排出する。また、画像形成装置１が外部端末装置と接続されている場合には、外部端末装置から送られてくる画像データＰＤに基づいて印刷媒体（図示せず）に画像を形成して排出することもできる。操作表示部５０は、タッチパネルとして機能するディスプレイ（図示せず）や各種ボタンやスイッチ（図示せず）からユーザーの操作入力を受け付ける。画像解析部３０は、画像比較部として機能する。
【００１３】
制御部１０は、ＲＡＭやＲＯＭ等の主記憶手段、及びＭＰＵ（Ｍｉｃｒｏ  Ｐｒｏｃｅｓｓｉｎｇ  Ｕｎｉｔ）やＣＰＵ（Ｃｅｎｔｒａｌ  Ｐｒｏｃｅｓｓｉｎｇ  Ｕｎｉｔ）等の制御手段を備えている。また、制御部１０は、各種Ｉ／Ｏ、ＵＳＢ（ユニバーサル・シリアル・バス）、バス、その他ハードウェア等のインターフェイスに関連するコントローラ機能を備え、画像形成装置１全体を制御する。制御部１０は、印刷物検出部として機能する。
【００１４】
記憶部４０は、非一時的な記録媒体であるハードディスクドライブやフラッシュメモリー等からなる記憶装置で、制御部１０が実行する処理の制御プログラムやデータを記憶する。
【００１５】
画像読取部１００は、光源部１１０と、第１反射鏡１３１と、第１キャリッジ１２０と、第２反射鏡１３５と、第３反射鏡１３６と、第２キャリッジ１３７と、集光レンズ１３８と、イメージセンサ１４１とを備えている。第１反射鏡１３１は、原稿からの反射光Ｌを第２反射鏡１３５の方向に反射する。第２反射鏡１３５は、反射光Ｌを第３反射鏡１３６の方向に反射する。第３反射鏡１３６は、反射光Ｌを集光レンズ１３８の方向に反射する。集光レンズ１３８は、反射光Ｌをイメージセンサ１４１の受光面に結像する。
【００１６】
第１キャリッジ１２０は、光源部１１０と第１反射鏡１３１とを搭載し、副走査方向Ｓに往復動する。第２キャリッジ１３７は、第２反射鏡１３５と第３反射鏡１３６とを搭載し、副走査方向Ｓに往復動する。第１キャリッジ１２０及び第２キャリッジ１３７は、制御部１０によって制御される走査機構の一部をなし、光源部１１０は原稿を副走査方向に走査することができる。これにより、イメージセンサ１４１は、原稿台１７０に裁置された原稿上の２次元画像に応じてアナログ電気信号を出力し、このアナログ電気信号がＡ／Ｄ変換されて画像データＰＤが生成される。
【００１７】
ＡＤＦ１６０は、複数の原稿を裁置可能で、原稿を１枚ずつ送って自動的に画像が読み取られる。原稿を自動的に搬送する原稿自動送り装置（ＡＤＦ）１６０が使用される場合には、第１キャリッジ１２０及び第２キャリッジ１３７は、予め設定されている副走査位置に固定され、原稿の自動送りによって走査が行われる。尚、ＡＤＦ１６０には、片面だけでなく両面を同時にあるいは逐次に読み取るものもある。
【００１８】
ＡＤＦ１６０は、紙送りローラ１６１と、原稿読取スリット１６２とを備えている。紙送りローラ１６１は、原稿の自動送りを行い、原稿の読み取りが原稿読取スリット１６２を介して行われる。この場合には、第１キャリッジ１２０が予め設定されている副走査位置に固定されるので、第１キャリッジ１２０に搭載されている光源部１１０も所定位置に固定されることになる。
【００１９】
図２は、一実施形態に係る出力文書抽出処理手順の内容を示すフローチャートである。出力文書抽出処理は、複数の出力文書を含む出力文書の束から画像読取部１００を使用して所望の出力文書を抽出する処理である。
【００２０】
ステップＳ１０では、ユーザーは、操作表示部５０を操作して画像形成装置１の作動モードを出力文書抽出モードに設定する。出力文書抽出モードは、ＡＤＦ１６０に裁置された原稿を複写するのではなく、ＡＤＦ１６０に裁置された印刷物としての出力文書から所望の出力文書を抽出する作動モードである。出力文書抽出モードに設定されると、操作表示部５０は、予め設定されている件数（たとえば１０件）の過去の印刷ジョブのリストを表示する。尚、この過去の印刷ジョブとして、外部端末装置から送られてくる画像データに基づく印刷ジョブも含まれる。
【００２１】
制御部１０は、記憶部４０に常時１０件の印刷物の出力に使用された印刷ジョブを格納する。すなわち、印刷ジョブが１件実行される毎に、古い印刷ジョブから削除されることになる。尚、制御部１０は、たとえば予め設定された時間（たとえば過去１日や過去１時間）内に実行された印刷ジョブを記憶部４０に記憶させるようにしてもよい。このように、制御部１０は、印刷ジョブを予め設定された範囲で記憶させるように構成されていればよい。
【００２２】
ステップＳ２０では、ユーザーは、操作表示部５０を操作して抽出対象出力文書を選択する。抽出対象出力文書の選択は、印刷ジョブのリストから抽出対象の自己の印刷ジョブをタッチスクリーンでタッチすることによって行われる。想定される状況は、画像形成装置１を複数人で共有しており、たとえば大量の出力文書内に自己の出力文書が埋没している状態において、自己の出力文書を取り出したいといった状況である。
【００２３】
画像解析部３０は、選択された印刷ジョブに含まれる画像データと印刷設定データとを使用して、印刷物の抽出で実行されるマッチング処理に使用されるテンプレートセットの生成を開始する。テンプレートセットの内容については後述する。
【００２４】
ステップＳ３０では、ユーザーは、ＡＤＦ１６０に出力文書を裁置する。ＡＤＦ１６０には、通例では、複写対象となる原稿が裁置されるが、この場合には、ＡＤＦ１６０に出力文書が裁置される。
【００２５】
ステップＳ４０では、ユーザーは、操作表示部５０のスタートボタンを押下する。これにより、画像読取部１００は、先頭ページ検出処理を開始する（ステップＳ５０）。
【００２６】
図３は、一実施形態に係る先頭ページ検出処理の内容を示すフローチャートである。先頭ページ検出処理は、抽出対象の自己の印刷ジョブによって出力された出力文書の先頭ページを検出する処理である。ステップＳ５１では、画像読取部１００は、出力文書に形成されている画像の読み取りを開始する。
【００２７】
図４は、一実施形態に係る出力文書ＳＴの画像認識領域を示す説明図である。ＡＤＦ１６０は、出力文書ＳＴの裁置状態に応じて以下の領域を読み取る。たとえば、出力文書ＳＴが矢印Ａの方向に送られる場合には、画像読取部１００は、領域Ｒａｃ、Ｒａ及びＲａｄ、領域Ｒｃ、Ｒｘ及びＲｄ、そして領域Ｒｂｃ、Ｒｂ及びＲｂｄの順に読み取ることが可能である。たとえば、出力文書ＳＴが矢印Ｃの方向に送られる場合には、画像読取部１００は、領域Ｒａｃ、Ｒｃ及びＲｂｃ、領域Ｒａ、Ｒｘ及びＲｂ、そして領域Ｒａｄ、Ｒｄ及びＲｂｄの順に読み取ることが可能である。以下の例では、出力文書ＳＴが矢印Ａの方向に送られる場合を想定する。
【００２８】
ステップＳ５２では、画像解析部３０は、マッチング処理を開始する。マッチング処理は、印刷出力の先頭ページの画像と一致する出力文書を検出する処理である。マッチング処理には、たとえば特徴ベースマッチングと、領域ベースマッチングと、これらの組合せとが利用可能である。
【００２９】
特徴ベースマッチングは、印刷ジョブから生成されるジョブ画像からエッジやコーナーといった特徴点を抽出し、その周囲の領域から特徴量を計算することで画像間のマッチングを行う方法である。特徴ベースマッチングでは、特徴点を抽出してテンプレートを生成するために時間を要する一方、マッチング自体には比較的時間が掛からないので高速処理に向いている。
【００３０】
領域ベースマッチングは、印刷ジョブから生成されるジョブ画像に基づき、探索したい画像をテンプレートとして用意し、探索対象の画像と逐一比較を行うことで類似領域を見つけ出す方法である。領域ベースマッチングは、拡大や変形に対して耐性が弱いが、本実施形態では、拡大や変形が想定されていないので有効である。
【００３１】
画像解析部３０は、いずれの方法においてもステップＳ２０で選択された印刷ジョブに含まれる画像データと印刷設定データとを使用して、マッチング処理に使用されるテンプレートセットを生成する。各テンプレートセットは、複数のテンプレートを有し、先頭ページの画像データを使用して生成される。テンプレートセットの生成は、前述のようにステップＳ２０で開始される。
【００３２】
テンプレートセットは、４つの送り方向を想定して４個生成される。第１のテンプレートセットは、出力文書ＳＴが矢印Ａの方向に送られる場合を想定して、領域Ｒａｃ、Ｒａ及びＲａｄの画像に基づいて生成される。第２のテンプレートセットは、出力文書ＳＴが矢印Ｂの方向に送られる場合を想定して、領域Ｒｂｃ、Ｒｂ及びＲｂｄの画像に基づいて生成される。第３のテンプレートセットは、出力文書ＳＴが矢印Ｃの方向に送られる場合を想定して、領域Ｒａｃ、Ｒｃ及びＲｂｃの画像に基づいて生成される。第４のテンプレートセットは、出力文書ＳＴが矢印Ｄの方向に送られる場合を想定して、領域Ｒａｄ、Ｒｂ及びＲｂｄの画像に基づいて生成される。
【００３３】
第１のテンプレートセットは、出力文書ＳＴが矢印Ａの方向に送られる場合を想定し、ＡＤＦ１６０を使用して読み取られた印刷画像の領域Ｒａｃ、Ｒａ及びＲａｄにおいて探索される。第２のテンプレートセットは、出力文書ＳＴが矢印Ｂの方向に送られる場合を想定し、読み取られた印刷画像の領域Ｒｂｃ、Ｒｂ及びＲｂｄにおいて探索される。第３のテンプレートセットは、出力文書ＳＴが矢印Ｃの方向に送られる場合を想定し、読み取られた印刷画像の領域Ｒａｃ、Ｒｃ及びＲｂｃにおいて探索される。第４のテンプレートセットは、出力文書ＳＴが矢印Ｄの方向に送られる場合を想定し、読み取られた印刷画像の領域Ｒａｄ、Ｒｂ及びＲｂｄにおいて探索される。
【００３４】
このように、本実施形態では、４個のテンプレートセットを使用してマッチング処理が実行されるので、４方向のいずれの向きに出力文書が裁置されても検出可能である。さらに、画像マッチングの領域（テンプレートセットによる探索領域）は、原稿読取スリット１６２を最初に通過し、最初に読み取られる一部の領域に限定しているので、高速かつ早いタイミングで検出することができる。
【００３５】
ステップＳ５３では、画像解析部３０は、選択された抽出対象出力文書の先頭ページが検出されたか否か、すなわち、印刷画像と先頭ジョブ画像（先頭ページのジョブ画像）の一致を決定する。具体的には、画像解析部３０は、たとえば出力文書ＳＴが矢印Ａの方向に送られる場合には、第１のテンプレートセットを使用して印刷画像の領域Ｒａｃ、Ｒａ及びＲａｄにおいて画像が一致した場合に先頭ページが検出された旨を決定する。先頭ページが検出された場合には、処理がステップＳ５４に進められ、先頭ページが検出されなかった場合には、処理がステップＳ５１に戻され、マッチング処理が出力文書毎に繰り返される。
【００３６】
ステップＳ５４では、画像解析部３０は、ＡＤＦ停止処理を実行する。ＡＤＦ停止処理では、画像解析部３０は、先頭ページが検出された旨の決定を制御部１０に送信し、制御部１０が先頭ページの通過を待ってＡＤＦ１６０を停止させる。
【００３７】
ステップＳ６０（図２参照）では、ユーザーは、対象外出力文書を排除する。具体的には、ユーザーは、ＡＤＦ１６０から排出された出力文書のうちで所望の出力文書の先頭ページを確認し、それ以外の出力文書を排除（仕分け）する。
【００３８】
ステップＳ７０では、ユーザーは、スタートボタンを押下する。これにより、制御部１０は、最終ページ検出処理（ステップＳ８０）を起動して、ＡＤＦ１６０に送りを再開させ、所望の出力文書の残りの排出を開始させる。
【００３９】
図５は、一実施形態に係る最終ページ検出処理の内容を示すフローチャートである。ステップＳ８１では、制御部１０は、出力文書カウント処理を実行する。出力文書カウント処理は、印刷ジョブのデータを使用して抽出対象の出力文書のページ数をカウントしつつ出力文書をＡＤＦ１６０に排出させる処理である。尚、出力文書カウント処理の替わりに、各ページについてテンプレートセットを切り替えつつ画像マッチング処理を行って各ページの画像が所望の出力文書の画像と一致することを確認する処理を実行しても良い。
【００４０】
ステップＳ８２では、画像解析部３０は、マッチング処理を実行する。マッチング処理は、出力文書カウント処理で予め最終ページであることが分かっている出力文書の画像に対して行われる。最終ページが検出された場合、すなわち、印刷画像と最終ジョブ画像（最終ページのジョブ画像）の一致が決定された場合には、処理がステップＳ８４に進められ、最終ページが検出された場合には、処理がステップＳ８５に進められる（ステップＳ８３）。
【００４１】
ステップＳ８４では、画像形成装置１は、ＡＤＦ停止処理を実行する。ＡＤＦ停止処理では、画像解析部３０は、選択された抽出対象出力文書（所望の出力文書）の最終ページが検出された旨の決定を制御部１０に送信し、制御部１０が最終ページの通過を待ってＡＤＦ１６０を停止させる。制御部１０は、さらに操作表示部５０に最終ページが排出された旨を表示する。ここで、ユーザーは、ＡＤＦ１６０から排出された状態の出力文書を取り出すことにより所望の出力文書を抽出することができる。一方、ステップＳ８５では、画像解析部３０は、異常表示処理を実行する。異常表示処理は、操作表示部５０に対象文書が見つからなかった旨を表示して出力文書抽出処理を終了させる処理である。
【００４２】
ステップＳ９０では、ユーザーは、スタートボタンを押下する。これにより、制御部１０は、ＡＤＦ１６０に対象外出力文書の排出を開始させる（ステップＳ１００）。尚、本工程は、ＡＤＦ１６０から残りの文書を除くことも可能なので、省略可能である。
【００４３】
このように、本実施形態に係る画像形成装置１は、複写のために備えられたＡＤＦ１６０を使用して複数の出力文書の中から特定の出力文書を抽出することができる。本構成は、ハードウェアとしてＡＤＦ１６０を使用するので、固有のハードウェアを何ら新たに設けることなく実装可能である。
【００４４】
本発明は、上記実施形態だけでなく、以下のような変形例でも実施することができる。
【００４５】
変形例１：上記実施形態は、単一の印刷ジョブが選択されているが、複数の印刷ジョブを選択することもできる。この場合には、たとえば第１の出力文書と第２の出力文書とを含む複数の印刷ジョブのそれぞれの先頭ページと最終ページとを検出することによって、第１の出力文書と第２の出力文書のいずれかを最初に抽出し、第１の出力文書と第２の出力文書のうちの残りの出力文書を順に排出することによって実現することができる。
【００４６】
変形例２：上記実施形態は、単一の印刷ジョブで出力される出力文書に乱丁がないことが想定されているが、たとえば割り込み処理等によって他の文書の挿入で乱丁が発生していても抽出することができる。この場合には、出力文書の全ての画像についてマッチング処理が行われることになる。ＡＤＦ１６０は、割り込み前後のページで排出を一旦停止させることで文書の抽出を可能とする。
【００４７】
変形例３：上記実施形態は、先頭ページや最終ページがＡＤＦ１６０から排出される前のタイミングでマッチング処理が完了していることを想定しているが、必ずしもマッチング処理が完了している必要はない。先頭ページや最終ページの検出に応じてＡＤＦ１６０による送りを停止させれば、検出後に数枚排出された状態であっても、ユーザーは、簡単に所望の文書をみつけることができる。さらに、最終ページの検出は、選択された印刷ジョブに画像データとともに含まれる出力ページ数に基づき、出力文書カウント処理によって行い、この検出（ＡＤＦ１６０により出力ページ数に相当する出力文書の排出）に基づいてＡＤＦ１６０による送りを停止させるようにしてもよい。この際、送りの停止後に、マッチング処理で最終ページでないことが判明した場合に、警告音を発生させるようにしてもよい。
【００４８】
変形例４：上記実施形態は、片面印刷を想定して説明がなされているが、出力文書は、両面印刷がなされたものであってもよい。両面印刷の場合には、マッチング処理は、片面のみでも両面でもよい。
【符号の説明】
【００４９】
１  画像形成装置
１０  制御部
２０  画像形成部
３０  画像解析部
４０  記憶部
５０  操作表示部
１００  画像読取部
１１０  光源部
１２０  第１キャリッジ
１３１  第１反射鏡
１３５  第２反射鏡
１３６  第３反射鏡
１３７  第２キャリッジ
１３８  集光レンズ
１４１  イメージセンサ
１６０  原稿自動送り装置（ＡＤＦ）
１６１  紙送りローラ
１６２  原稿読取スリット
１７０  原稿台
【図１】
0006440097.tif 000002
【図２】
0006440097.tif 000003
【図３】
0006440097.tif 000004
【図４】
0006440097.tif 000005
【図５】
0006440097.tif 000006